【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
遊技球が始動領域に進入したことに起因して取得した当否乱数値に基づいて大当たりか外れかを判定する判定手段と、
該判定結果に対応して大当たり図柄または外れ図柄を決定する図柄決定手段と、
画像を表示する画像表示手段と、
前記画像表示手段を制御して図柄を変動表示させた後に前記図柄決定手段が決めた大当たり図柄または外れ図柄を確定表示させる表示制御手段と、
前記判定結果が大当たりであったことを必須条件として遊技者に有利な特別遊技を実行する特別遊技実行手段と
を備える弾球遊技機において、
複数の前記始動領域と、各始動領域に共通の１つの乱数カウンタとを備えて、
各始動領域毎に異なる当たり値を設定しておき、
前記判定手段は、遊技球が複数の始動領域のいずれかに進入したことに起因して前記共通の乱数カウンタから取得した当否乱数値を該遊技球が進入した始動領域に設定されている当たり値と照合して大当たりか外れかを判定する構成であり、
該判定手段による大当たりか外れかの判定において大当たりとなる確率が各始動領域について同じとされている
ことを特徴とする弾球遊技機。
【請求項２】
遊技球が始動領域に進入したことに起因して取得した当否乱数値に基づいて大当たりか外れかを判定する判定手段と、
該判定結果に対応して大当たり図柄または外れ図柄を決定する図柄決定手段と、
画像を表示する画像表示手段と、
前記画像表示手段を制御して図柄を変動表示させた後に前記図柄決定手段が決めた大当たり図柄または外れ図柄を確定表示させる表示制御手段と、
前記判定結果が大当たりであったことを必須条件として遊技者に有利な特別遊技を実行する特別遊技実行手段と
を備える弾球遊技機において、
複数の前記始動領域と、各始動領域に共通の１つの乱数カウンタとを備えて、
各始動領域毎に異なる当たり値を設定しておき、
前記判定手段は、遊技球が複数の始動領域のいずれかに進入したことに起因して前記共通の乱数カウンタから取得した当否乱数値を該遊技球が進入した始動領域に設定されている当たり値と照合して大当たりか外れかを判定する構成であり、
各始動領域毎に前記当たり値の個数を異ならせてある
ことを特徴とする弾球遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
【発明が解決しようとする課題】
始動口に関しては、遊技者から見ればそれが複数（できれば多数）あったほうが当然うれしい。しかし、始動口が２つあっても、１つの始動口に入賞した遊技球は盤面には戻らないため、１つの遊技球で２つの始動口に入賞することは不可能である。つまり、始動口を複数設けても、１つの遊技球での遊技者へのメリットは乏しい。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
【課題を解決するための手段および発明の効果】
上記課題を解決するための請求項１記載の弾球遊技機は、遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
複数の前記始動領域と、各始動領域に共通の１つの乱数カウンタとを備えて、各始動領域毎に異なる当たり値を設定しておき、前記判定手段は、遊技球が複数の始動領域のいずれかに進入したことに起因して前記共通の乱数カウンタから取得した当否乱数値を該遊技球が進入した始動領域に設定されている当たり値と照合して大当たりか外れかを判定する構成であり、該判定手段による大当たりか外れかの判定において大当たりとなる確率が各始動領域について同じとされていることを特徴とする。
【手続補正８】
【補正対象書類名】明細書
【補正対象項目名】０００９
【補正方法】変更
【補正の内容】
【０００９】
本発明の弾球遊技機は、複数の始動領域を備え、大当たり抽選には共通の乱数カウンタを使用しているが、当たり値は各始動領域毎に異ならせているので、遊技者の見た目で始動領域のいずれかに同時進入したと思った時で大当りした場合、複数の始動領域とも、同じ１つの大当り乱数カウンタの同じ当り値で当りハズレを決定しているものより２回連続で大当りする可能性が高くなる。
【手続補正９】
【補正対象書類名】明細書
【補正対象項目名】００１０
【補正方法】変更
【補正の内容】
【００１０】
また、１つの始動領域に１個の遊技球が進入した時の大当り確率は、同じ１つの大当り乱数カウンタの同じ当り値にしたものと同様だが、もし、打ち出された遊技球がどれかに進入することを前提にした場合、進入するまでの大当り確率は当り値を変更した方が高くなる。このため、同じ１つの大当り乱数カウンタの同じ当り値で当りハズレを決定しているものより、遊技者ごとあるいは遊技台ごとの大当りの格差が増し、その時に当りやすい始動領域を狙って打てる楽しみが増大する。
【手続補正１０】
【補正対象書類名】明細書
【補正対象項目名】００１１
【補正方法】変更
【補正の内容】
【００１１】
請求項２記載の弾球遊技機は、遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
複数の前記始動領域と、各始動領域に共通の１つの乱数カウンタとを備えて、
各始動領域毎に異なる当たり値を設定しておき、
前記判定手段は、遊技球が複数の始動領域のいずれかに進入したことに起因して前記共通の乱数カウンタから取得した当否乱数値を該遊技球が進入した始動領域に設定されている当たり値と照合して大当たりか外れかを判定する構成であり、
各始動領域毎に前記当たり値の個数を異ならせてある
ことを特徴とする。
【手続補正１１】
【補正対象書類名】明細書
【補正対象項目名】００１２
【補正方法】変更
【補正の内容】
【００１２】
本発明の弾球遊技機は、複数の始動領域を備え、大当たり抽選には共通の乱数カウンタを使用しているが、当たり値は各始動領域毎に異ならせており、しかも、各始動領域毎に当たり値の個数も異ならせてある。各始動領域毎に当たり値の個数を異ならせることは、各始動領域毎に大当り確率を異ならせることになり、斬新で趣向を凝らした弾球遊技機にすることができる。
【手続補正１２】
【補正対象書類名】明細書
【補正対象項目名】００１３
【補正方法】変更
【補正の内容】
【００１３】
また、各始動領域毎に専用の乱数カウンタを備えるのでは、それだけ構成が複雑化し、大当たり判定に際しての判定手段の負担が増えるが、１つの共通の乱数カウンタを用いて、各始動領域毎に当たり値及び当たり値の個数を異ならせれば、構成の複雑化及び判定手段の負担増を避けることができる。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００７７
【補正方法】変更
【補正の内容】
【００７７】
本実施例では３つの始動口（普通電動役物６１、６２、６３）を備えており、大当たり抽選には共通の乱数カウンタを使用しているが、当たり値が各始動口毎に異なっている。ただし、図４に示すとおり判定確率は各始動口について同じである。